(57)【要約】【課題】第１ユニットと第２ユニットが正面合わせの状態であるか背面合わせの状態であるかを検知できる電子機器の提供。【解決手段】電子機器１は、第１ユニット１０と、第２ユニット２０と、第２ユニット２０に設けられた第１磁石３５と、第１ユニット１０に設けられ、第１状態Ｐ１のときに第１磁石３５に対して第１距離をあけて配置され、第２状態Ｐ２のときに第１磁石３５に対して第１距離よりも離れた第２距離をあけて配置される磁気センサー１４と、第１ユニット１０に設けられ、第１状態Ｐ１のときに磁気センサー１４が受ける磁界を弱め、第２状態Ｐ２のときに磁気センサー１４が受ける磁界を強める第２磁石１５と、を備える。【選択図】図３
2020198400.tif 000002
【特許請求の範囲】
【請求項１】
表示部を正面に有する第１ユニットと、
前記第１ユニットが正面を向けて重なる第１面と、前記第１ユニットが背面を向けて重なる、前記第１面と反対側の第２面と、を有する第２ユニットと、
前記第２ユニットに設けられた第１磁石と、
前記第１ユニットに設けられ、前記第１ユニットが前記第２ユニットの第１面と重なる第１状態のときに前記第１磁石に対して第１距離をあけて配置され、前記第１ユニットが前記第２ユニットの第２面と重なる第２状態のときに前記第１磁石に対して前記第１距離よりも離れた第２距離をあけて配置される磁気センサーと、
前記第１ユニットに設けられ、前記第１状態のときに前記磁気センサーが受ける磁界を弱め、前記第２状態のときに前記磁気センサーが受ける磁界を強める第２磁石と、を備える、電子機器。
【請求項２】
前記第２磁石の磁極の向きと、前記磁気センサーの磁界検知の向きは、互いに異なっている、請求項１に記載の電子機器。
【請求項３】
前記第２ユニットに設けられ、前記第１状態及び前記第２状態のとき、前記第２磁石を磁気的に吸引する第３磁石を備える、請求項１または２に記載の電子機器。
【請求項４】
前記第１ユニットと前記第２ユニットとを、前記第１状態から前記第２状態まで回動可能に連結するヒンジ機構を備える、請求項１〜３のいずれか一項に記載の電子機器。
【請求項５】
前記第１ユニットと前記第２ユニットとの回動角度を検知する角度センサーと、
前記角度センサーの検知結果に基づいて、前記磁気センサーの検知のＯＮ／ＯＦＦを制御する制御装置と、を備える、請求項４に記載の電子機器。
【発明の詳細な説明】
【技術分野】
【０００１】
本発明は、電子機器に関するものである。
【背景技術】
【０００２】
電子機器として、例えば、携帯可能なノート型のパーソナルコンピュータは、表示部を有する第１ユニット（蓋体）と、該第１ユニットが開閉可能に連結される第２ユニット（筐体）と、を備えている（例えば、特許文献１参照）。この電子機器は、第１ユニットの開閉を検知する磁気センサーを備えている。
【先行技術文献】
【特許文献】
【０００３】
【特許文献１】特開２００６−６５６９６号公報
【発明の概要】
【発明が解決しようとする課題】
【０００４】
ところで、近年のノート型のパーソナルコンピュータは、ラップトップＰＣとして使用するのみならず、第１ユニットを３６０°回動する、若しくは、第１ユニットを分離するなどして、第１ユニットと第２ユニットとを背面合わせの状態にし、タブレットとして使用できるものがある。
しかしながら、タブレットとして使用したときには、ラップトップＰＣとして使用したときと第１ユニットと第２ユニットの位置関係が逆になることから、磁気センサーと磁石との距離が離れ、タブレットでの使用状態を検知できないことがあった。一方で、磁気センサーの感度を高めると、ラップトップＰＣとして使用したときに、第１ユニットが閉まりきらないうちに磁気センサーがＯＮになり、ユーザーが予期せずに画面が消灯する懸念があった。
【０００５】
本発明は、上記課題に鑑みてなされたものであり、第１ユニットと第２ユニットが正面合わせの状態であるか背面合わせの状態であるかを検知できる電子機器の提供を目的とする。
【課題を解決するための手段】
【０００６】
上記の課題を解決するために、本発明の一態様に係る電子機器は、表示部を正面に有する第１ユニットと、前記第１ユニットが正面を向けて重なる第１面と、前記第１ユニットが背面を向けて重なる、前記第１面と反対側の第２面と、を有する第２ユニットと、前記第２ユニットに設けられた第１磁石と、前記第１ユニットに設けられ、前記第１ユニットが前記第２ユニットの第１面と重なる第１状態のときに前記第１磁石に対して第１距離をあけて配置され、前記第１ユニットが前記第２ユニットの第２面と重なる第２状態のときに前記第１磁石に対して前記第１距離よりも離れた第２距離をあけて配置される磁気センサーと、前記第１ユニットに設けられ、前記第１状態のときに前記磁気センサーが受ける磁界を弱め、前記第２状態のときに前記磁気センサーが受ける磁界を強める第２磁石と、を備える。
また、上記電子機器においては、前記第２磁石の磁極の向きと、前記磁気センサーの磁界検知の向きは、互いに異なっていてもよい。
また、上記電子機器においては、前記第２ユニットに設けられ、前記第１状態及び前記第２状態のとき、前記第２磁石を磁気的に吸引する第３磁石を備えてもよい。
また、上記電子機器においては、前記第１ユニットと前記第２ユニットとを、前記第１状態から前記第２状態まで回動可能に連結するヒンジ機構を備えてもよい。
また、上記電子機器においては、前記第１ユニットと前記第２ユニットとの回動角度を検知する角度センサーと、前記角度センサーの検知結果に基づいて、前記磁気センサーの検知のＯＮ／ＯＦＦを制御する制御装置と、を備えてもよい。
【発明の効果】
【０００７】
本発明によれば、第１ユニットと第２ユニットが正面合わせの状態であるか背面合わせの状態であるかを検知できる。
【図面の簡単な説明】
【０００８】
【図１】本発明の実施形態における電子機器の斜視図である。
【図２】本発明の実施形態における第１ユニットと第２ユニットとを連結するヒンジ機構を模式的に示す左側面図である。
【図３】本発明の実施形態における磁気センサー、第１磁石、第２磁石の位置関係を示す模式図である。
【図４】本発明の実施形態における磁気センサーの検知のＯＮ／ＯＦＦ制御を視覚的に示す説明図である。
【図５】本発明の実施形態における制御装置による制御フローである。
【図６】本発明の実施形態における第２状態のときに磁気センサーが受ける磁界の強さ［ｍＴ］を、第２磁石を設けた場合と設け無い場合で比較したグラフである。
【発明を実施するための形態】
【０００９】
図１は、本発明の実施形態における電子機器１の斜視図である。
電子機器１は、第１ユニット１０及び第２ユニット２０を備える。この電子機器１は、クラムシェル型のパーソナルコンピュータ（いわゆるノート型のパーソナルコンピュータ）である。第１ユニット１０及び第２ユニット２０は、それぞれ扁平な箱状に形成されている。
【００１０】
第１ユニット１０は、表示部１１を正面１０ａに備えている。表示部１１は、例えば、タッチパネル式の液晶ディスプレイや有機ＥＬディスプレイなどから形成されている。
第２ユニット２０は、第１ユニット１０が正面１０ａを向けて重なる第１面２０ａ（上面）を備えている。第１面２０ａには、キーボード２１と、タッチパッド２２が設けられている。
【００１１】
キーボード２１は、第１面２０ａの奥側に配置され、タッチパッド２２は、第１面２０ａの手前側に配置されている。また、第１面２０ａにおけるタッチパッド２２の左右両側には、パームレスト部２３が形成されている。
【００１２】
第２ユニット２０内には、マザーボード３０、冷却ファン３１、及び図示しないバッテリなどが設けられている。第２ユニット２０の左側面２０ｃには、排気口２４、ＵＳＢ（Universal Serial Bus）レセプタクル３２が開口している。
【００１３】
マザーボード３０は、第２ユニット２０の底部に立設された図示しない複数のボスにネジ止めにより固定され、当該底部に対し空間をあけてほぼ平行に対向して配置されている。このマザーボード３０は、キーボード２１の裏面側に配置され、第２ユニット２０のほぼ半分の面積に亘って設けられている。
【００１４】
冷却ファン３１は、第２ユニット２０の左奥隅に配置されている。冷却ファン３１は、ヒートパイプ３１ａを介してマザーボード３０を冷却すると共に、第２ユニット２０内の空気を排気口２４から外部に排気する。
【００１５】
図２は、本発明の実施形態における第１ユニット１０と第２ユニット２０とを連結するヒンジ機構４０を模式的に示す左側面図である。
図２に示すように、第１ユニット１０は、ヒンジ機構４０によって、第２ユニット２０に対し３６０°回動可能に連結されている。
【００１６】
本実施形態のヒンジ機構４０は、２つの連結軸４１，４２と、１つのリンク部材４３と、を有するツインリンク機構となっている。リンク部材４３は、第２ユニット２０に設けられた連結軸４１と、第１ユニット１０に設けられた連結軸４２のそれぞれに対して回動可能とされている。
【００１７】
図２において実線で示す第１状態Ｐ１とは、第１ユニット１０が正面１０ａ（表示部１１が有る面）を向けて第２ユニット２０の第１面２０ａ（上面）と重なる状態（第１ユニット１０と第２ユニット２０が正面合わせの状態）を言う。第１状態Ｐ１では、第１ユニット１０は、表示部１１、及び第２ユニット２０の第１面２０ａを覆うカバーとなる。
【００１８】
図２において二点鎖線で示す第２状態Ｐ２とは、第１ユニット１０が背面１０ｂ（表示部１１が無い面）を向けて第２ユニット２０の第２面２０ｂ（下面）と重なる状態（第１ユニット１０と第２ユニット２０が背面合わせの状態）を言う。第２状態Ｐ２では、第２ユニット２０の下面側に配置された表示部１１を上向きに反転してタッチパネル操作することで、タブレットとして使用することができる。
【００１９】
第１ユニット１０内には、上述した第１状態Ｐ１及び第２状態Ｐ２を検知する磁気センサー１４が設けられている。磁気センサー１４は、図１に示すように、第１ユニット１０の正面１０ａにおける表示部１１の周囲（ベゼル部）において、第１状態Ｐ１（第１ユニット１０を閉じた状態）のときに第２ユニット２０の手前側に位置する、表示部１１の上部に配置されている。
【００２０】
また、表示部１１の上部には、音声を取得するマイク１２が配置されている。マイク１２は、第１ユニット１０内に収容されたマイクボード１３に搭載されている。本実施形態の磁気センサー１４は、同様にマイクボード１３に搭載されている。なお、表示部１１の上部に、図示しないカメラが配置されている場合、磁気センサー１４は、当該カメラのカメラボードに搭載しても構わない。
【００２１】
一方、第２ユニット２０内には、第１磁石３５が設けられている。第１磁石３５は、図２に示すように、第１状態Ｐ１及び第２状態Ｐ２のときに磁気センサー１４と重なる位置に配置されている。なお、本実施形態の第１磁石３５は、第２ユニット２０の手前側（図２に示す紙面右側）の先端形状（先細りの形状）における設置スペースを有効活用するべく、下面側をアンダーカットした形状となっているが、単純なブロック形状であっても構わない。
【００２２】
磁気センサー１４は、第１ユニット１０が第２ユニット２０の第１面２０ａと重なる第１状態Ｐ１のときに第１磁石３５に対して第１距離Ｄ１をあけて配置される。また、磁気センサー１４は、第１ユニット１０が第２ユニット２０の第２面２０ｂと重なる第２状態Ｐ２のときに第１磁石３５に対して第１距離Ｄ１よりも離れた第２距離Ｄ２をあけて配置される。例えば、第２距離Ｄ２は、第１距離Ｄ１の２倍以上（本実施形態では約３倍）である。
【００２３】
図１に示すように、第１ユニット１０内には、磁気センサー１４の第１状態Ｐ１及び第２状態Ｐ２の検知を補助する第２磁石１５が設けられている。第２磁石１５は、第１ユニット１０の正面１０ａにおける表示部１１の周囲（ベゼル部）において、磁気センサー１４の隣に配置されている。第２磁石１５は、第１ユニット１０の筐体の内壁面に接着剤などで固定されている。
【００２４】
図３は、本発明の実施形態における磁気センサー１４、第１磁石３５、第２磁石１５の位置関係を示す模式図である。なお、図３は、図２における矢視Ａ図（つまり正面から視た図）に対応している。
図３に示すように、第１磁石３５は、第２ユニット２０内において第１面２０ａ側に配置されている。この第１磁石３５は、例えば、Ｎ極、Ｓ極の組が左右逆向きで上下に配置されている４極磁石である。第１磁石３５の磁極の向きは、Ｘ方向（左右方向）である。
【００２５】
一方、磁気センサー１４は、第１ユニット１０内において正面１０ａ側に配置されている。磁気センサー１４は、例えば、ホールセンサである。磁気センサー１４の磁界検知の向きは、Ｘ方向（左右方向）である。
【００２６】
第２磁石１５は、第１ユニット１０内において磁気センサー１４の隣に配置され、第１状態Ｐ１及び第２状態Ｐ２のいずれであっても第１磁石３５と重ならない位置に配置されている。この第２磁石１５は、例えば、Ｎ極、Ｓ極を有する通常の２極磁石であって、第１磁石３５よりも磁界が弱い。第２磁石１５の磁極の向きは、Ｘ方向と直交するＹ方向（上下方向、つまり第１ユニット１０と第２ユニット２０が重なる方向）である。
【００２７】
第２磁石１５から発せられる磁界Ｔ２は、第１状態Ｐ１のときに、磁気センサー１４に近接する第１磁石３５の上側の磁極から発せられる磁界Ｔ１を相殺する。また、磁界Ｔ２は、第２状態Ｐ２のときに、磁気センサー１４に近接する第１磁石３５の下側の磁極から発せられる磁界Ｔ３を強める。
【００２８】
つまり、第１状態Ｐ１のとき、磁気センサー１４と第１磁石３５との距離が近づくが、第２磁石１５の作用により、磁気センサー１４の検知感度が低くなり、第１ユニット１０が閉まりきらないうちに、磁気センサー１４がＯＮになる誤検知を防止できる。
また、第２状態Ｐ２のときには、磁気センサー１４と第１磁石３５との距離が離れても、第２磁石１５の補助により、磁気センサー１４の検知感度を高めることができ、磁気センサー１４が第２状態Ｐ２を検知できるようになる。
【００２９】
第２ユニット２０には、第１磁石３５の他に、第３磁石３６が設けられている（図１も参照）。第３磁石３６は、第２ユニット２０内において第１磁石３５の隣に配置され、第１状態Ｐ１及び第２状態Ｐ２のいずれであっても磁気センサー１４とは重ならないが、第２磁石１５とは重なる位置に配置されている。
【００３０】
この第３磁石３６は、例えば、Ｎ極、Ｓ極を有する通常の２極磁石であって、第１状態Ｐ１及び第２状態Ｐ２のとき、第２磁石１５（第１ユニット１０）を第２ユニット２０側に引き付ける磁界を発生する。第３磁石３６の磁極の向きは、Ｙ方向（上下方向）である。これにより、第１ユニット１０と第２ユニット２０とを引き付け、第１状態Ｐ１または第２状態Ｐ２を維持し易くすることができる。
【００３１】
ところで、電子機器１には、上述したように、複数の磁石が設けられ、特に第２磁石１５によって磁気センサー１４に予め磁界が作用している。このため、例えば、電子機器１の使用者が磁気ブレスレットなどを着用していた場合など、外部の些細な磁力に対して磁気センサー１４が敏感に反応しないように、以下の構成を採用するとよい。
【００３２】
電子機器１は、図１に示すように、第１ユニット１０と第２ユニット２０との回動角度を検知する角度センサー３７と、角度センサー３７の検知結果に基づいて、磁気センサー１４の検知のＯＮ／ＯＦＦを制御する制御装置３３とを備えている。角度センサー３７は、第１ユニット１０の任意の位置に設けられた加速度センサー３７Ａと、第２ユニット２０の任意の位置に設けられた加速度センサー３７Ｂと、を有する。
【００３３】
加速度センサー３７Ａ，３７Ｂは、例えば、３軸加速度センサーである。このような角度センサー３７によれば、２つの加速度センサー３７Ａ，３７Ｂから出力される重力加速度の方向から、第１ユニット１０と第２ユニット２０との回動角度及び姿勢を検知できる。なお、角度センサー３７は、ヒンジ機構４０などに設けられたロータリーエンコーダなどであっても構わない。
【００３４】
制御装置３３は、マザーボード３０に搭載された周知の電子部品群（ＣＰＵなどを含む）によって構成されている。制御装置３３は、以下に説明するように、角度センサー３７の検知結果に基づいて、磁気センサー１４の検知のＯＮ／ＯＦＦを制御する。なお、磁気センサー１４の検知のＯＮ／ＯＦＦとは、磁気センサー１４が磁界を検知できるアクティブ状態か、非アクティブ状態であるかを意味する。
【００３５】
図４は、本発明の実施形態における磁気センサー１４の検知のＯＮ／ＯＦＦ制御を視覚的に示す説明図である。図５は、本発明の実施形態における制御装置３３による制御フローである。
制御装置３３は、概略、図４に示すように、第１ユニット１０と第２ユニット２０との回動角度θに基づいて、磁気センサー１４の検知のＯＮ／ＯＦＦを制御する。なお、回動角度θは、第１ユニット１０と第２ユニット２０とが平行になる第１状態Ｐ１のときに０ｄｅｇとし、第１ユニット１０と第２ユニット２０とが平行になる第２状態Ｐ２のときに３６０ｄｅｇとしている。
【００３６】
具体的に、制御装置３３は、図５に示すように、先ず、加速度センサー３７Ａ，３７Ｂによる角度検知が１０ｄｅｇ未満であるか否かを判定する（ステップＳ１）。加速度センサー３７Ａ，３７Ｂによる角度検知が１０ｄｅｇ未満である場合（ステップＳ１が「Ｙｅｓ」の場合）、制御装置３３は、磁気センサー１４の検知をＯＮにし、磁気センサー１４をアクティブ状態とする（ステップＳ４）。
【００３７】
一方、加速度センサー３７Ａ，３７Ｂによる角度検知が１０ｄｅｇ未満でない場合（ステップＳ１が「Ｎｏ」の場合）、次に、制御装置３３は、加速度センサー３７Ａ，３７Ｂによる角度検知が３５０ｄｅｇ以上であるか否かを判定する（ステップＳ２）。加速度センサー３７Ａ，３７Ｂによる角度検知が３５０ｄｅｇ以上である場合（ステップＳ２が「Ｙｅｓ」の場合）、制御装置３３は、磁気センサー１４の検知をＯＮにし、磁気センサー１４をアクティブ状態とする（ステップＳ４）。
【００３８】
一方、加速度センサー３７Ａ，３７Ｂによる角度検知が３５０ｄｅｇ以上でない場合（ステップＳ２が「Ｎｏ」の場合）、制御装置３３は、磁気センサー１４の検知をＯＦＦにし、磁気センサー１４を非アクティブ状態とする（ステップＳ３）。
以上によって、図４に示すように、第１ユニット１０と第２ユニット２０との回動角度θが１０ｄｅｇ以上、３５０ｄｅｇ未満の範囲では、磁気センサー１４の検知をＯＦＦにし、誤検知を防止することができる。
【００３９】
次に、第２磁石１５を設けることによる作用について説明する。
図６は、本発明の実施形態における第２状態Ｐ２のときに磁気センサー１４が受ける磁界の強さ［ｍＴ］を、第２磁石１５を設けた場合と設け無い場合で比較したグラフである。なお、図６に示すグラフの縦軸は、磁気センサー１４が受ける磁界の強さ［ｍＴ］を示し、同グラフの横軸は、第２状態Ｐ２のときの第１ユニット１０と第２ユニット２０との距離［ｍｍ］を示す。なお、同グラフには、磁気センサー１４が少なくとも第２状態Ｐ２であることを検知すべきである設定距離Ｃが示されている（図３も参照）。
【００４０】
図６に示すように、磁気センサー１４は、アクティブ状態のときに、ＯＮになる第１閾値（ピッチが長い破線で示す）と、第１閾値より低いときにＯＦＦになる第２閾値（ピッチが短い破線で示す）が設定されている。第２磁石１５が無い場合、設定距離Ｃのときであっても、磁気センサー１４が受ける磁界の強さ（下側の実線で示す）は、第１閾値を超えないため、第２状態Ｐ２であることは検知できなかった。しかし、第２磁石１５が有る場合、予め磁気センサー１４に磁界をかけることができるため、磁気センサー１４が受ける磁界の強さは、同図の上側の実線で示すように上側にシフトし、設定距離Ｃのときには第１閾値を超えて、第２状態Ｐ２であることを検知することができる。
【００４１】
このように、上記構成の電子機器１によれば、表示部１１を正面１０ａに有する第１ユニット１０と、第１ユニット１０が正面１０ａを向けて重なる第１面２０ａと、第１ユニット１０が背面１０ｂを向けて重なる、第１面２０ａと反対側の第２面２０ｂと、を有する第２ユニット２０と、第２ユニット２０に設けられた第１磁石３５と、第１ユニット１０に設けられ、第１ユニット１０が第２ユニット２０の第１面２０ａと重なる第１状態Ｐ１のときに第１磁石３５に対して第１距離Ｄ１をあけて配置され、第１ユニット１０が第２ユニット２０の第２面２０ｂと重なる第２状態Ｐ２のときに第１磁石３５に対して第１距離Ｄ１よりも離れた第２距離Ｄ２をあけて配置される磁気センサー１４と、第１ユニット１０に設けられ、第１状態Ｐ１のときに磁気センサー１４が受ける磁界Ｔ１を弱め、第２状態Ｐ２のときに磁気センサー１４が受ける磁界Ｔ３を強める第２磁石１５と、を備えることによって、磁気センサー１４と第１磁石３５との距離が近づく第１状態Ｐ１のときには第２磁石１５の磁界Ｔ２によって磁気センサー１４の感度を低くし、磁気センサー１４と第１磁石３５との距離が離れる第２状態Ｐ２のときには第２磁石１５の磁界Ｔ２によって磁気センサー１４の感度を高めることができる。これにより、第１ユニット１０と第２ユニット２０が正面合わせの状態（第１状態Ｐ１）であるか背面合わせの状態（第２状態Ｐ２）であるかで、磁気センサー１４の感度を適正に調整し、第１状態Ｐ１及び第２状態Ｐ２を検知することができる。
【００４２】
また、本実施形態では、図３に示すように、第２磁石１５の磁極の向き（Ｙ方向）と、磁気センサー１４の磁界検知の向き（Ｘ方向）は、互いに異なっている。この構成によれば、磁気センサー１４の近くに第２磁石１５を配置しても、磁気センサー１４に磁界をかけすぎないようにすることができ、配置の制約を緩和することができる。
【００４３】
また、本実施形態では、第２ユニット２０に設けられ、第１状態Ｐ１及び第２状態Ｐ２のとき、第２磁石１５を磁気的に吸引する第３磁石３６を備えている。この構成によれば、磁気センサー１４の検知を補助する第２磁石１５を利用して、第１ユニット１０と第２ユニット２０とを引き付け、第１状態Ｐ１または第２状態Ｐ２を維持し易くすることができる。
【００４４】
また、本実施形態では、第１ユニット１０と第２ユニット２０とを、第１状態Ｐ１から第２状態Ｐ２まで回動可能に連結するヒンジ機構４０と、第１ユニット１０と第２ユニット２０との回動角度θを検知する角度センサー３７と、角度センサー３７の検知結果に基づいて、磁気センサー１４の検知のＯＮ／ＯＦＦを制御する制御装置３３と、を備えているので、上述したように外部の些細な磁力に対して磁気センサー１４が敏感に反応しないようにすることができる。
【００４５】
以上、この発明の実施形態について図面を参照して詳述してきたが、具体的な構成は上記の実施形態に限られるものではなく、この発明の要旨を逸脱しない範囲の設計等も含まれる。上記の実施形態において説明した各構成は、矛盾しない限り任意に組み合わせることができる。
【００４６】
例えば、上記実施形態では、第１ユニット１０と第２ユニット２０とをヒンジ機構４０介して連結した構成について説明したが、第１ユニット１０が第２ユニット２０に対して分離可能とされて、上述した第１状態Ｐ１と第２状態Ｐ２に移行できる構成であっても構わない。
【００４７】
また、例えば、上記実施形態では、第２磁石１５の磁極の向き（Ｙ方向）と、磁気センサー１４の磁界検知の向き（Ｘ方向）が、互いに異なっている構成について説明したが、磁気センサー１４に予め磁界をかけることができれば、第２磁石１５の磁極の向きと、磁気センサー１４の磁界検知の向きが同じであっても構わない。なお、第２磁石１５の磁極の向きがＹ方向であれば、第３磁石３６との関係で、第２ユニット２０に対して第１ユニット１０を磁気的に引き込み易くなる。
【００４８】
また、例えば、上記実施形態では、電子機器の一例としてノート型パーソナルコンピュータを用いて説明したが、本発明はこれに限定されるものではなく、例えばタブレット等の他の電子機器にも適用できるものである。
【符号の説明】
【００４９】
１  電子機器
１０  第１ユニット
１０ａ  正面
１０ｂ  背面
１１  表示部
１４  磁気センサー
１５  第２磁石
２０  第２ユニット
２０ａ  第１面
２０ｂ  第２面
３３  制御装置
３５  第１磁石
３６  第３磁石
３７  角度センサー
４０  ヒンジ機構
Ｄ１  第１距離
Ｄ２  第２距離
Ｐ１  第１状態
Ｐ２  第２状態
θ  回動角度
【図１】
2020198400.tif 000003
【図２】
2020198400.tif 000004
【図３】
2020198400.tif 000005
【図４】
2020198400.tif 000006
【図５】
2020198400.tif 000007
【図６】
2020198400.tif 000008